(57)【要約】【課題】  地中に存在するガスや揮発成分を採集する場合に、地中と地表との遮断を確実に行うことができるようにし、また作業性をよくする。更に、地表面から大気に揮発するガスも確実に採集できるようにする。【解決手段】  土壌ガス採集器具１０は、地表面に載置されるドーム状の覆体１２と、それを貫通するように設けたガス流通部１４、及び覆体の外面に設けた把手１６を具備している。前記ガス流通部１４は、垂直方向に配された外側チューブ継手２０と水平方向に配された内側チューブ継手２２とがマニホールド２４に接続されて連通する構造をなし、内側チューブ継手の下方に土砂の侵入を防ぐ遮蔽部材２６を設置する。【選択図】  図１
0003106588.tif 000002
【実用新案登録請求の範囲】
【請求項１】
地表面に載置されるドーム状の覆体と、該覆体を貫通するように設けたガス流通部、及び覆体の外面に取り付けた把手を具備し、前記ガス流通部は、垂直方向に配された外側チューブ継手と水平方向に配された内側チューブ継手とがマニホールドに接続されて相互連通する構造をなし、前記内側チューブ継手の下方に土砂の侵入を防ぐ遮蔽部材が設置されている土壌ガス採集器具。
【請求項２】
ドーム状の覆体は、垂直に立ち上がる円環状側面部、水平円板部、それらを滑らかにつなぐ周辺曲面部からなる一体成形品であり、外側チューブ継手と内側チューブ継手が接続されたマニホールドが前記水平円板部の下面に気密的に取り付けられている請求項１記載の土壌ガス採集器具。
【考案の詳細な説明】
【技術分野】
【０００１】
本考案は、地中に存在するガスや揮発成分、あるいは地表面から大気に揮発するガスなど（これらを土壌ガスと総称する）を採集する際に、地表面に載置することにより地上の大気との混合を防ぐために用いるドーム状の土壌ガス採集器具に関するものである。この土壌ガス採集器具は、例えば土壌汚染などの環境調査に有用である。
【背景技術】
【０００２】
近年、工場やガソリンスタンドの閉鎖に伴い、有機塩素化合物などによる地下水汚染・土壌汚染などが各地で発見され、大きな社会問題となっている。そのため、土壌ガス（地中に存在するガスや揮発成分、あるいは地表面から大気に揮発するガスなど）の分布状態や成分、量などを正確に測定する必要性が生じている。
【０００３】
従来、地中に存在するガスや揮発成分を測定するには、地中に鉄棒を打ち込むなどして孔を開け、その孔にチューブを挿入し、チューブを通して地中のガスを吸引することで採取し、測定する方法が一般的である。この場合、地上の大気が混入するのを防がねばならず、地表口でチューブと孔壁との間にシール材を詰め込み、それによって地中と地表を遮断している。しかし、シール材の充填は、作業が煩瑣で効率が悪い。またシールが不完全であると、チューブと孔壁との間からガスが抜け出るため、チューブを通って吸引されるガス量が減ったり、無くなるため、土壌ガスの発生が無いと誤った判断がなされる恐れもある。
【０００４】
最近、シール材の充填に代えて、地表口を平板状の蓋体で封鎖する技術が提案されている（例えば特許文献１参照）。この技術は、作業的には簡素化されるが、平板状の蓋体を単に地表面に載せただけでは、地中と地表との遮断を確実に行うことは不可能である。
【０００５】
また、地表面から大気に揮発するガスを採取する場合には、従来、ガスを蓄えるバッグに一旦ガスを採取して、該バッグに蓄えられたたガスを分析する方法がとられている。しかし、バッグにガスを蓄える方法では、的確にガスを採集できない恐れがある。
【特許文献１】特開２００３−３５６３３号公報
【考案の開示】
【考案が解決しようとする課題】
【０００６】
本考案が解決しようとする課題は、従来技術では、地中に存在するガスや揮発成分を採集する場合に、地中と地表との遮断を確実に行うことが不十分であったり、作業性が悪い点、地表面から大気に揮発するガスを確実に採取できない点、などである。
【課題を解決するための手段】
【０００７】
本考案は、地表面に載置されるドーム状の覆体と、該覆体を貫通するように設けたガス流通部、及び覆体の外面に取り付けた把手を具備し、前記ガス流通部は、垂直方向に配された外側チューブ継手と水平方向に配された内側チューブ継手とがマニホールドに接続されて相互連通する構造をなし、前記内側チューブ継手の下方に土砂の侵入を防ぐ遮蔽部材が設置されている土壌ガス採集器具である。
【０００８】
ここで、ドーム状の覆体は、垂直に立ち上がる円環状側面部、水平円板部、それらを滑らかにつなぐ周辺曲面部からなる一体成形品とし、外側チューブ継手と内側チューブ継手が接続されたマニホールドが前記水平円板部の下面に気密的に取り付けられている構造が好ましい。
【考案の効果】
【０００９】
本考案の土壌ガス採集器具は、ドーム状の覆体を地表面に被せることにより、下縁が地表面に僅かに食い込み、それによって覆体内部が地上の大気から確実に遮断できる。従って、地表口でチューブと孔壁間にシール材などを充填する必要が無くなり作業性がよく、大気との遮断性も極めて良好である。また、地中にチューブを挿入せずに地表からの揮発成分を採取する場合でも、単にドーム状の覆体を地表面に被せればよいため、作業性は良好である。両方の作業形態に対して、同一の土壌ガス採集器具で対応でき、シール材やガスを蓄えるバッグなどを用意する必要もない。本考案の土壌ガス採集器具は、構造は極めて簡単で、安価に且つ容易に製作でき、簡便に使用できる。
【考案を実施するための最良の形態】
【００１０】
本考案に係る土壌ガス採集器具の一例を図１に示す。ここで、Ａは平面を表し、Ｂは縦断面を表している。この土壌ガス採集器具１０は、地表面に載置されるドーム状の覆体１２と、該覆体１２を貫通するように設けたガス流通部１４、及び覆体１２の外面に取り付けた把手１６を具備している。ガス流通部１４は、垂直方向に配された外側チューブ継手２０と水平方向に配された内側チューブ継手２２とがマニホールド２４に接続されて相互連通する構造である。また、内側チューブ継手２２の下方には、地表の土砂が内側チューブ継手２２に侵入するのを防ぐために、遮蔽部材２６が設置されている。
【００１１】
ドーム状の覆体１２は、垂直に立ち上がる円環状側面部１２ａ、水平円板部１２ｂ、それらを滑らかにつなぐ周辺曲面部１２ｃからなる一体成形品である。その形状は、例えば肉厚１ｍｍ、直径３５０ｍｍ、高さ４０ｍｍ程度とするのが扱いやすい。ここではステンレス鋼板を絞り加工する（周辺曲面部１２ｃをＲ３０の曲面とする）ことで製作したものである。外側チューブ継手２０と内側チューブ継手２２が直交する面に接続されるマニホールド２４が、前記水平円板部１２ｂの下面に気密的に取り付けられている。また、逆Ｕ型の把手１６も水平円板部１２ｂに気密的に取り付けられている。例えば、取り付け部分にシール剤を設けて、ドーム状の覆体１２の内外を完全に遮断する。
【００１２】
マニホールド２４及びそれに接続されている外側チューブ継手２０や内側チューブ継手２２は、例えば真鍮製であり、外側チューブ継手２０と内側チューブ継手２２は、マニホールド２４内に形成されているＬ型の一つの孔でつながっている。遮蔽部材２６は、ここでは金属（例えばステンレス鋼）製の平板であり、内側チューブ継手２２と地表面の間を遮るように設ける。
【実施例】
【００１３】
測定状態の一例を図２に示す。これは、地中に存在するガスや揮発成分を採集し測定する例である。測定対象となる地盤３０中に所定の深さまで（例えば１ｍ程度）鉄棒などを打ち込んで孔３２を形成し、それに地中側のチューブ３４を挿入する。地中側のチューブの上端は、内側チューブ継手２２に接続する。ドーム状の覆体１２を地表面に孔を覆うように設置し、多少押し込む。これによって、円環状側面１２ａの下縁が若干地表面に食い込み、ドーム状の覆体１２の内側と外側がほぼ完全に遮断される。外側チューブ継手２０に地上側のチューブ３６を接続し、ポンプなど（図示せず）で吸引する。これによって、地中に存在するガスや揮発成分を、地中側及び地上側のチューブ３４，３６を通して確実に採集することができる。地中側のチューブを通らずに孔壁を伝って出るガスは、ドーム状の覆体１２の内部に充満し、大気中には拡散しないため、やがて全て地中側のチューブ３４内を通り、マニホールド２４、地上側のチューブ３６を通って吸引され採集されることになる。
【００１４】
測定状態の他の例を図３に示す。これは、地表面から揮発する成分を採集し測定する例である。内側チューブ継手２２はそのままチューブを接続しない状態で、測定対象となる地表面３８にドーム状の覆体１２を載せ、多少押し込む。これによって、円環状側面１２ａの下縁が若干地表面に食い込み、ドーム状の覆体１２の内側と外側がほぼ完全に遮断される。外側チューブ継手２０に地上側のチューブ３６を接続し、ポンプなど（図示せず）で吸引する。これによって、地表面から揮発するガスはドーム状の覆体１２内に充満し、内側チューブ継手２２を通り、マニホールド２４、地上側のチューブ３６を通して確実に採集することができる。
【００１５】
以上のように、本考案に係る土壌ガス採集器具は、採取する場所の地中に存在するガスや揮発成分、あるいは地表面から大気に揮発するガスなどを空中に拡散させることなく、確実に採集することができる。
【図面の簡単な説明】
【００１６】
【図１】本考案に係る土壌ガス採集器具の説明図。
【図２】その使用状態の一例を示す説明図。
【図３】その使用状態の他の例を示す説明図。
【符号の説明】
【００１７】
１０  土壌ガス採集器具
１２  ドーム状の覆体
１４  ガス流通部
１６  把手
２０  外側チューブ継手
２２  内側チューブ継手
２４  マニホールド
【図１】
0003106588.tif 000003
【図２】
0003106588.tif 000004
【図３】
0003106588.tif 000005